(57)【特許請求の範囲】
【請求項１】
広幅な帯状シートをスリッターにより複数の狭幅シートに分割し、得られた狭幅シートを、分岐点となる分岐点案内ローラから第１巻取位置と第２巻取位置とへ振分け、第１巻取位置へ振り分けた狭幅シートを第１振分案内ローラを介して第１巻取位置へ導いて巻き取ると共に、第２巻取位置へ振り分けた狭幅シートを第２振分案内ローラを介して又は直接第２巻取位置へ導いて巻き取り、巻取準備中に、スリッターを非切断状態にして帯状シートの先端を通過させた後、前記スリッターを切断状態にして後続部分を複数に分割しつつ、前記帯状シートの非切断の先端部及び複数に分割された後続部分の先端部を前記分岐点案内ローラ及び前記第１振分案内ローラを経て第１巻取位置へ取り出し、その取り出した前記後続部分をシート幅方向に切断することにより第１巻取位置で巻き取るべき第１狭幅シートと第２巻取位置で巻き取るべき第２狭幅シートとなし、シート移送機構により前記第２狭幅シートの先端を前記第２巻取位置へ向けて送ることによって狭幅シート先端の振り分けを行うシート分割巻取装置において、前記シート移送機構は、前記分岐点案内ローラ表面の摩擦係数より大きい摩擦係数を有する被駆動のシート引戻しローラを、前記第２狭幅シートを挟んで前記分岐点案内ローラに当接可能に備えた、前記第２狭幅シート毎の一つ又は複数一組のベルトコンベア装置と、前記ベルトコンベア装置を帯状シート幅方向に移動可能に支持する案内支持梁と、前記ベルトコンベヤ装置を、第２巻取位置で巻き取る帯状シートに対応する位置に移動可能な移動機構とを備えることを特徴とするシート分割巻取装置。
【請求項２】
前記シート移送機構に替えて、前記分岐点案内ローラ表面の摩擦係数より大きい摩擦係数を有する被駆動のシート引戻しローラを、前記第２狭幅シートを挟んで前記分岐点案内ローラに当接可能に備えた一つ又は複数一組のベルトコンベア装置と、前記ベルトコンベア装置を帯状シート幅方向に移動可能に支持する案内支持梁と、前記ベルトコンベヤ装置を第２巻取位置で巻き取る帯状シートに対応する位置に順次移動可能な移動機構を備えるシート移送機構を設けた請求項１記載のシート分割巻取装置。
【請求項３】
前記分岐点案内ローラは、外周面に鍍金を施した鍍金ローラであることを特徴とする請求項１記載のシート分割巻取装置。
【請求項４】
前記ベルトコンベア装置を、前記分岐点案内ローラ表面の摩擦係数より摩擦係数の大きい搬送用の無端ベルトを備えており、かつ前記分岐分案内ローラ表面に前記搬送用の無端ベルトを、前記第２狭幅シートを挟んで当接可能に構成したベルトコンベヤ装置に替えた請求項１又は請求項３記載のシート分割巻取装置。
【発明の詳細な説明】
【０００１】
【発明が属する技術分野】
本発明は、シート分割巻取装置において広幅の帯状シートをスリッターにより分割して得られた狭幅の帯状シートの先端を第１巻取位置と第２巻取位置へ振り分けるシート分割巻取装置に関する。
【０００２】
【従来の技術】
従来、スリッターで分割した狭幅の帯状シートを左右の巻取位置に振り分けて巻取るシート分割巻取装置では、新たに広幅の帯状シートを所定の帯状シート走行路に通す際やスリッターによる分割幅変更の際の振分方法として、例えば特開平３−２３２６４７号公報に開示されているようにスリッターにより分割した帯状シートの先端を鉛直方向に一斉に下降させ、各狭幅の帯状シートに対応する左右の可動体を待機位置につけた状態で、その左右の可動体の間を通過させた後、各可動体を帯状シートを挟んで反対側にある作動位置に付けることにより、可動体で帯状シートを振分方向に寄せて振り分ける方法を採用しているものがある。
【０００３】
【発明が解決しようとする課題】
ところが、上述のような振分方法を用いるには、分割した帯状シートの分岐点への走行路を鉛直方向とし、分岐点からの帯状シートの走行路を左右対称になるようにする必要があり、振分位置付近に左右の可動体を作動させるための充分な空間を要する。また、帯状シートが例えば薄物プラスチックフィルムのように腰の弱いものの場合、帯状シートと振分用の可動体との摩擦抵抗により帯状シートが振分用の可動体の部分で詰まり、それによって振り分けた帯状シート先端が下流へ移動しなくなるという不都合が生じるので、帯状シートは腰の強いものでなければならない。そのため、分割した帯状シートの走行路を鉛直方向に設けることができない場合や、腰の弱い帯状シートを取り扱う場合には、上述のような振分方法を採用することができず、作業者の手作業により分割した帯状シートの振分けを行っている。したがって、スリッターによる分割幅変更等に伴って生じる、分割帯状シート先端の巻取位置への取出し作業に多大な労力と時間を要している。
【０００４】
本発明は上述のような問題点に鑑み、スリッターで分割した帯状シートの分岐点への走行方向及び分岐点からの走行方向や帯状シートの腰の強さに関係無く、分割した帯状シートの先端を両側の巻取位置へ確実に振り分けることができるようにし、かつ、振り分けた帯状シートの先端を両側の巻取位置に取出す作業の労力を大幅に軽減すると共にその作業時間を短縮することを課題としている。
【０００５】
【課題を解決するための手段】
そこで、本発明では、広幅な帯状シートをスリッターにより複数の狭幅シートに分割し、得られた狭幅シートを、分岐点となる分岐点案内ローラから第１巻取位置と第２巻取位置とへ振分け、第１巻取位置へ振り分けた狭幅シートを第１振分案内ローラを介して第１巻取位置へ導いて巻き取ると共に、第２巻取位置へ振り分けた狭幅シートを第２振分案内ローラを介して又は直接第２巻取位置へ導いて巻き取り、巻取準備中に、スリッターを非切断状態にして帯状シートの先端を通過させた後、前記スリッターを切断状態にして後続部分を複数に分割しつつ、前記帯状シートの非切断の先端部及び複数に分割された後続部分の先端部を前記分岐点案内ローラ及び前記第１振分案内ローラを経て第１巻取位置へ取り出し、その取り出した前記後続部分をシート幅方向に切断することにより第１巻取位置で巻き取るべき第１狭幅シートと第２巻取位置で巻き取るべき第２狭幅シートとなし、シート移送機構により前記第２狭幅シートの先端を前記第２巻取位置へ向けて送ることによって狭幅シート先端の振り分けを行うシート分割巻取装置において、前記シート移送機構は、前記分岐点案内ローラ表面の摩擦係数より大きい摩擦係数を有する被駆動のシート引戻しローラを、前記第２狭幅シートを挟んで前記分岐点案内ローラに当接可能に備えた、前記第２狭幅シート毎の一つ又は複数一組のベルトコンベア装置と、前記ベルトコンベア装置を帯状シート幅方向に移動可能に支持する案内支持梁と、前記ベルトコンベヤ装置を、第２巻取位置で巻き取る帯状シートに対応する位置に移動可能な移動機構とを備えることを特徴とする。
【０００６】
【発明の実施の形態】
本発明によるシート分割巻取装置は、広幅な帯状シートをスリッターにより複数の狭幅シートに分割し、得られた狭幅シートを、分岐点となる分岐点案内ローラから第１巻取位置と第２巻取位置とへ振分け、第１巻取位置へ振り分けた狭幅シートを第１振分案内ローラを介して第１巻取位置へ導いて巻き取ると共に、第２巻取位置へ振り分けた狭幅シートを第２振分案内ローラを介して又は直接第２巻取位置へ導いて巻き取るものである。そしてスリッターによる帯状シートの分割幅が多様に変更された場合でも、占有空間の小さい簡素なシート移送機構により、狭幅シートの先端を前記第１巻取位置と第２巻取位置へ確実に振り分けることができるようにするために、巻取準備中に、スリッターを非切断状態にして帯状シートの先端を通過させた後、前記スリッターを切断状態にして後続部分を複数に分割しつつ、前記帯状シートの非切断の先端部及び複数に分割された後続部分の先端部を前記分岐点案内ローラ及び前記第１振分案内ローラを経て第１巻取位置へ取り出し、その取り出した前記後続部分をシート幅方向に切断することにより第１巻取位置で巻き取るべき第１狭幅シートと第２巻取位置で巻き取るべき第２狭幅シートとなし、シート移送機構により前記第２狭幅シートの先端を前記第２巻取位置へ向けて送る。そして前記シート移送機構は、前記分岐点案内ローラ表面の摩擦係数より大きい摩擦係数を有する被駆動のシート引戻しローラを、前記第２狭幅シートを挟んで前記分岐点案内ローラに当接可能に備えた、前記第２狭幅シート毎の一つ又は複数一組のベルトコンベア装置と、前記ベルトコンベア装置を帯状シート幅方向に移動可能に支持する案内支持梁と、前記ベルトコンベヤ装置を、第２巻取位置で巻き取る帯状シートに対応する位置に移動可能な移動機構とを備える。
【０００７】
また、少ないベルトコンベア装置でスリッターによる分割幅の多様な変更に対処できるようにするには、前記シート移送機構に替えて、前記分岐点案内ローラ表面の摩擦係数より大きい摩擦係数を有する被駆動のシート引戻しローラを、前記第２狭幅シートを挟んで前記分岐点案内ローラに当接可能に備えた一つ又は複数一組のベルトコンベア装置と、前記ベルトコンベア装置を帯状シート幅方向に移動可能に支持する案内支持梁と、前記ベルトコンベヤ装置を第２巻取位置で巻き取る帯状シートに対応する位置に順次移動可能な移動機構を備えたシート移送機構を設けるとよい。
【０００８】
また、摩擦係数の小さい分岐点案内ローラを得るために前記分岐点案内ローラは、外周面に鍍金を施した鍍金ローラを用いるとよい。前記ベルトコンベア装置は、前記分岐点案内ローラ表面の摩擦係数より摩擦係数の大きい搬送用の無端ベルトを備えており、前記分岐点案内ローラ表面に搬送用の無端ベルトを、前記第２狭幅シートを挟んで当接可能に構成したベルトコンベア装置としてもよい。
【０００９】
【実施例】
図１は本発明のシート分割巻取装置の一実施例に係る概略側面図、図２は同概略平面図である。このシート分割巻取装置において、原反ロールから巻戻された広幅の帯状シートＳ０は、図示しない案内ローラ及び案内ローラ１からなる所定のシート走行路を経てスリッター２へ導かれ、スリッター２により複数の狭幅の帯状シートＳに分割される。分割され狭幅の帯状シートＳは、分岐点案内ローラ３から左右にある巻取位置Ａと巻取位置Ｂとへ交互に振分けられ、個々の巻芯Ｃのまわりにロール状に巻き取られて巻取ロールＲとなる。巻取位置Ａ及びＢには、タッチローラ４を備えた公知の巻取装置（図示せず）が夫々設けてあり、巻取中の巻芯Ｃは、巻取装置の巻芯支持装置に保持されて回転駆動され、巻取ロールＲの半径の増大に応じてタッチローラ４から離反する。
【００１０】
分岐点案内ローラ３から巻取位置Ａ、巻取位置Ｂの間には、所要の帯状シート走行路を作るための振分案内ローラ５、振分案内ローラ６が設けてあり、夫々分割された狭幅の帯状シートＳを巻取位置Ａ、巻取位置Ｂへ導く。なお、必要に応じて、分岐点案内ローラ３と巻取位置Ａの間に複数の案内ローラを設ける場合や、分岐点案内ローラから巻取位置Ｂのタッチローラへ帯状シートを直接導く場合もあり得る。
【００１１】
スリッター２は、この実施例では回転する下刃２ａと、これに噛合う上刃２ｂからなる公知のシェアカッターであり、上刃２ｂはホルダー７ｂにより下刃２ａに向けて進退可能に保持されており、図１では帯状シートＳを切断できる切断状態にあるが、必要なときに下刃２ａから後退させてスリッター２を非切断状態にすることができるようになっている。なおスリッターはレザーカッター等他の公知のものを採用してもよく、またレザーカッターを採用する場合には、分岐点案内ローラ３を溝付きローラとしてもよい。
【００１２】
案内ローラ１、分岐点案内ローラ３、振分案内ローラ５並びに振分案内ローラ６、及び、下刃２ａのホルダー７ａを位置替え可能に支持するスリッター用の案内支持梁８、上刃２ｂのホルダー７ｂを位置替え可能に支持する案内支持梁９の夫々の両端部は、図示しない機枠の所定位置に取り付けてある。
【００１３】
分岐点案内ローラ３の近傍下方には、巻取準備時に分割した帯状シートＳを巻取位置Ａに一括して取出したとき、その帯状シートＳのうち左側の巻取位置Ｂで巻取るべき帯状シートＳの先端を巻取位置Ｂの近くへ送るためのシート移送機構１１が設けてある。
【００１４】
シート移送機構１１は、分岐点案内ローラ３の表面の摩擦係数より大きい摩擦係数を有する被駆動のシート引戻しローラ２１を分岐点案内ローラ３に当接可能に備えた、左側の巻取位置Ｂで巻取る狭幅の帯状シートＳ２毎のベルトコンベア装置２２と、ベルトコンベア装置２２を夫々帯状シート幅方向に位置付け可能に支持する案内支持梁１９とを備えている。
【００１５】
更に、シート移送機構１１は、図３に示すようにベルトコンベア装置２２が左側の巻取位置Ｂで巻取る帯状シートＳ２に対応する位置に移動することができる移動機構２３を備えている。移動機構２３は、案内支持梁１９に沿って設けたネジ棒２４と、このネジ棒２４を正逆両方向に回転駆動可能なモータ２５と、各ベルトコンベア装置２２に設けた、該各ベルトコンベア装置２２をネジ棒２４に係合離脱させることができる公知のクラッチ機構２６と、各ベルトコンベア装置２２が、夫々の設定した目的位置に移動するように、モータ２５及び個々のクラッチ機構２６を遠隔操作する、図示しない自動位置決め制御装置とからなる。
【００１６】
この自動位置決め制御装置は、モータ２５を駆動することでネジ棒２４を必要な方向に回転させ、移動の必要なベルトコンベア装置２２のクラッチ機構２６を夫々接続し、それによりベルトコンベア装置２２をネジ棒２４に係合させて案内支持梁１９沿いに移動させると共に、各ベルトコンベア装置２２の現在位置を夫々図示しない位置検出装置により刻々検出し、その検出値が、予め設定した目標値に達したときクラッチ機構２６を切断し、それによりベルトコンベア装置２２をネジ棒２４から離脱させて停止させることができる。
【００１７】
シート移送機構１１が備えるベルトコンベア装置２２の台数は、左側の巻取位置Ｂで巻取る帯状シートの最大数に応じて変化するが、本実施例のシート分割巻取装置では、左側の巻取位置Ｂで巻取る帯状シートＳの最大数が４条であり、そのとき各帯状シート毎に夫々２台一組になって帯状シートＳを移送できるように合計８台準備してある。図３は、広幅の帯状シートを７条に分割し、そのうちの３条の狭幅の帯状シートＳ２は左側の巻取位置Ｂへ振り分けて巻き取る場合を示している。そして図３において最も下及び下から２番目に配置されたベルトコンベア装置２２は夫々休止状態にあり、他のベルトコンベア装置２２は、帯状シートＳを移送するための目的位置についている。
【００１８】
図４及び図５示すように、ベルトコンベア装置２２は、案内支持梁１９に固設した帯状シート幅方向のレール１９ａにスライド可能に装着した可動基台２７を備えている。また、可動基台２７には、腕状のフレーム２８がシート幅方向に平行な支持軸２９により枢支されており、フレーム２８の一端部にはシート引戻しローラ２１が、他の一端部にはローラ３０が、それぞれ回転可能に保持されており、シート引戻しローラ２１とローラ３０とに搬送用の無端ベルト３１が張架されている。フレーム２８には、シート引戻しローラ２１を回転駆動するためのモータ３２が設けてあり、このモータ３２の回転を、引戻しローラ２１に固設した中心軸２１ａの一端にベルト伝動装置３３により伝達する。
【００１９】
シート引戻しローラ２１の、無端ベルト３１を掛けた部分の両側はゴム又は合成樹脂で形成してあり、分岐点案内ローラ３に接触することができるように中央部に比べて外径が少し大きく形成されている。支持軸２９は、フレーム２８を貫通しており、支持軸２９の両端部は可動基台２７のブラケット部２７ａに装着されている。また、支持軸２９を中心にフレーム２８を揺動させてシート引戻しローラ２１を分岐点案内ローラ３に当接させるためのアクチュエータ３４は、この実施例では空圧シリンダ装置であり、そのシリンダの一端は軸体３５により可動基台２７に、また、そのピストンロッドの先端部は軸体３６によりフレーム２８に枢着してある。
【００２０】
アクチュエータ３４に図示しないホースを経て圧縮空気を供給すると、アクチュエータ３４はフレーム２８を押し、それによってフレーム２８が支持軸２９を中心に図４では反時計方向に回転し、シート引戻しローラ２１が分岐点案内ローラ３に当接される。またアクチュエータ３４への圧縮空気の供給を停止するとアクチュエータ３４はフレーム２８を引き、フレーム２８は、図４では時計方向に回転してシート引戻しローラ２１が図１に示す退避位置につく。また、モータ３２を駆動するとシート引戻しローラ２１が回転し、無端ベルト３１は図４の矢印Ｄの方向に回動する。
【００２１】
また、ベルトコンベア装置２２により帯状シートＳの先端を右側の巻取位置Ａから引戻して左側の巻取位置Ｂの近くへ送る場合、巻取準備中にベルトコンベア装置２２を帯状シートＳに対応する位置につけた状態で、図９に示すようにシート引戻しローラ２１を、右側の巻取位置Ａに先端が取出されている帯状シートＳ２の上から分岐点案内ローラ３に当接させ、シート引戻しローラ２１を回転駆動すると共に無端ベルト３１を図４の矢印Ｄの方向に回動させる。
【００２２】
すると、回転を停止している状態の分岐点案内ローラ３と回転駆動されるシート引戻しローラ２１との間に挟まれた帯状シートＳ２は、それとシート引戻しローラ２１との摩擦力が分岐点案内ローラ３との摩擦力より大きいため、シート引戻しローラ２１との摩擦力による引戻し張力を受けると共に分岐点案内ローラ３に対し滑りを生じて引戻され、引戻された帯状シートＳは、ベルトコンベア装置２２の無端ベルト３１により移送される。ベルトコンベア装置２２による帯状シートの搬送が終わると、シート引戻しローラ２１の回転及び無端ベルト３３の回動を停めると共にシート引戻しローラ２１を分岐点案内ローラ３から後退させておく。
【００２３】
なお、図１に示す分岐点案内ローラ３は外周面に例えばクロム鍍金を施した鍍金ローラとし、その外周の摩擦係数を小さくしてある。本発明では必要に応じてシート引戻しローラを独立して設けると共に、図４のシート引戻しローラ２１の代わりに搬送用の無端ベルト３１を掛けるローラを設け、このローラとシート引戻しローラとを回転駆動するようにしてもよい。またベルトコンベア装置２２は、シート引戻しローラ２１を普通の外周面を有するローラに替えると共に搬送用の無端ベルト３１を、分岐点案内ローラの外周面より摩擦係数の大きい無端ベルトに替え、その無端ベルトを分岐点案内ローラ３に押圧するようにしたものでもよい。
【００２４】
本実施例のシート分割巻取装置によって帯状シートを巻取るには、スリッター２の下刃２ａ、上刃２ｂ、タッチローラ４を巻取仕様に応じた新たな所要位置につけ、巻芯Ｃを巻芯支持装置に装着して狭幅の帯状シートＳに対応する位置に支持しておき、広幅の帯状シートＳ０を所定のシート走行路に通して、スリッター２を通過させ、分割された狭幅の帯状シートＳの先端を右側の巻取位置Ａと左側の巻取位置Ｂへ振り分けて取出し、取出した各狭幅の帯状シートＳの先端を、巻芯Ｃに止める必要がある。
【００２５】
その際、広幅の帯状シートＳ０をスリッター２により分割して得られた狭幅の帯状シートＳの先端を右側の巻取位置Ａと左側の巻取位置Ｂへ振り分けるには、先ず、図６に示すように、広幅の帯状シートＳ０が所定のシート走行路を経て、非切断状態にしたスリッター２を通過した後、図７に示すようにスリッター２を切断状態にして広幅の帯状シートＳ０を狭幅の帯状シートＳに分割しながら、広幅の帯状シートＳ０の先端部及びその後端に連続している狭幅の帯状シートＳの先端部を分岐点案内ローラ３及び右側の振分案内ローラ５を経て第１巻取位置Ａに取出す。その後、シート分割巻取装置に広幅の帯状シートＳ０及び狭幅の帯状シートＳの搬送駆動を停止する。
【００２６】
次に、図８に示すように、右側の巻取位置Ａに取出された狭幅の帯状シートＳをナイフＫにより所要位置でシート幅方向に切断して、先端部をバラバラにする。
【００２７】
なお、この時点までの適当な時期にベルトコンベア装置２２を移動機構２３により、新たに左側の巻取位置Ｂで巻取る狭幅の帯状シートＳに夫々対応するよう位置付けておく。その後、シート移送機構１１のベルトコンベア装置２２により、右側の巻取位置Ａに取出された狭幅の帯状シートＳのうち左側の巻取位置Ｂで巻取る狭幅の帯状シートＳ２の先端を右側の巻取位置Ａから後退させて左側の巻取位置Ｂの近くへ送る。
【００２８】
図１０は、狭幅の帯状シートＳ２の先端をベルトコンベア装置１１により左側の巻取位置Ｂの近傍へ搬送し終わった状態を示す。
【００２９】
本発明によれば装置の簡素化を図るために、図３に示すシート移送機構１１を、図１１に示すシート移送機構１１のように、右側の巻取位置Ａに取出されてシート幅方向に切断された帯状シートＳ１１、Ｓ２１、Ｓ１２、Ｓ２２、Ｓ１３、Ｓ２３、Ｓ１４のうち左側の巻取位置で巻取るべき帯状シートＳ２１、Ｓ２２、Ｓ２３の先端を一つずつ順番に右側の巻取位置Ａから後退させて左側の巻取位置Ｂの近くへ送ることができるものに替えてもよい。
【００３０】
図１１に示すシート移送機構１１は、図４及び図５に示すものと同じ構造で同じ動作をする２台一組のベルトコンベア装置２２と、ベルトコンベア装置２２を帯状シート幅方向に位置付け可能に支持する案内支持梁１９と、ベルトコンベア装置２２を、左側の巻取位置で巻取る帯状シートＳ２１、Ｓ２２、Ｓ２３に対応する位置に順次移動することができる移動機構２３とを備えている。
【００３１】
移動機構２３は、第２実施例と同様なネジ棒２４、モータ２５及びクラッチ機構２６と、ベルトコンベア装置２２が、設定した目的位置に順次つくよう当該モータ２５及び個々のクラッチ機構２６を遠隔操作する、図示しない公知の自動位置決め制御装置とからなる。このシート移送機構１１では、移動機構２３によりベルトコンベア装置２２を図１１に実線で示すように帯状シートＳ２１に対応する位置に付け、ベルトコンベア装置２２により右側の巻取位置Ａに取出されている帯状シートＳ２１（鎖線で示す）の先端を後退させて左側の巻取位置Ｂの近くへ送る。それが終了すると、移動機構２３により、ベルトコンベア装置２２を帯状シートＳ２２に対応する、鎖線で示す位置に移動し、ベルトコンベア装置２２により帯状シートＳ２２の先端を右側の巻取位置Ａから後退させて左側の巻取位置の近くへ送る。そして帯状シートＳ２３に対しても同様にして、その先端を右側の巻取位置Ａから後退させて左側の巻取位置の近くへ送る。
【００３２】
また、本発明によれば、シート移送機構１１は図３や図１１に示すように左側の巻取位置で巻取る一つの帯状シートを複数一組の引戻し用のベルトコンベア装置により移送するものでなくてもよく、必要に応じて一つの帯状シートを一つのベルトコンベア装置によって移送するものに替えてもよい。また、可動基台２７を移動するための移動機構は、上述のモータ２５により回転駆動可能な１本のネジ棒２４とクラッチ機構２６を備えたものに限らず、例えばスリッターの刃物台を所要位置に移動するための移動機構等、他の公知の移動機構を用いることができる。
【００３３】
【発明の効果】
本発明では、分割した帯状シートを一括して第１巻取位置へ取出した後、その中から第２巻取位置で巻取るべき帯状シートをシート移送機構により第１巻取位置から後退させて第２巻取位置の近くへ送るので、第１巻取位置で巻取る帯状シートを第１巻取位置に一斉に確実に取出すことができると共に、作業者は、シート移送機構により第２巻取位置の近くへ送られた帯状シートのみを第２巻取位置に取出せばよい。それゆえ、スリッターで分割した帯状シートの分岐点への走行方向及び分岐点からの走行方向や帯状シートの腰の強さに関係無く、分割した帯状シートの先端を両側の巻取位置へ確実に振り分けることができ、作業者がローラ相互間の狭い隙間から手を入れて不安定な姿勢で帯状シートの取違えに注意を払いながら帯状シートを夫々振り分けるといった面倒で長時間を要する作業が不要になる。したがって、分割した帯状シート先端を各巻取位置へ振り分けて巻取位置へ取出す作業が容易になり作業者の労力を大幅に軽減することができ、しかも作業時間を大幅に短縮することができ、シート分割巻取装置の稼動率を向上させることができる。
【図面の簡単な説明】
【図１】本発明の一実施例に係るシート分割巻取装置の概略正面図である。
【図２】図１に示すシート分割巻取装置の概略平面図である。
【図３】図１に示すシート移送機構の概略平面図である。
【図４】ベルトコンベア装置の正面図である。
【図５】ベルトコンベア装置の平面図である。
【図６】スリッターを非切断状態にして広幅の帯状シートＳ０の先端を通過させた状態を示す説明図である。
【図７】スリッターを切断状態にして、広幅の帯状シートＳ０の先端部分と後続の狭幅の帯状シートの先端部を第１巻取位置に取出した状態を示す説明図である。
【図８】第１巻取位置に取出された狭幅の帯状シートを所要位置でシート幅方向に切断している状態を示す説明図である。
【図９】第２巻取位置で巻取る狭幅の帯状シートの先端を第１巻取位置から後退させてシート移送機構により搬送している状態を示す説明図である。
【図１０】狭幅の帯状シートの先端をシート移送機構により第２巻取位置の近くへ搬送し終わった状態を示す説明図である。
【図１１】シート移送機構の別の実施の形態を示す概略平面図である。
【符号の説明】
Ｓ０ 広幅の帯状シート
Ｓ 分割された狭幅の帯状シート
Ｋ ナイフ
２ スリッター
３ 分岐点案内ローラ
５ 振分案内ローラ
６ 振分案内ローラ
１１ シート移送機構
１９ 案内支持梁
２１ シート引戻しローラ
２２ ベルトコンベア装置
２３ 移動機構
２４ 軸体
２５ モータ
２６ クラッチ機構
【図１】
0003555601.tif 000002
【図２】
0003555601.tif 000003
【図３】
0003555601.tif 000004
【図４】
0003555601.tif 000005
【図５】
0003555601.tif 000006
【図６】
0003555601.tif 000007
【図７】
0003555601.tif 000008
【図８】
0003555601.tif 000009
【図９】
0003555601.tif 000010
【図１０】
0003555601.tif 000011
【図１１】
0003555601.tif 000012